(57)【要約】【課題】  荷捌き室が付設された冷蔵庫において、運搬トラックらへの被冷蔵物の積載または荷降ろしの際に、ドックシェルタ部からの外気の流入による熱ロスを簡単な構造で効果的に防ぎ、かつ低温冷蔵庫の床部に凍上防止のために設けられた凍上防止管又は凍上防止空間への導入空気の導入後の有効利用を図る。【解決手段】  低温冷蔵庫１及び同冷蔵庫に隣接して設けられた荷捌き室２の床部に外気を導入する凍上防止管１５又は凍上防止空間２４を設けた冷凍庫において、凍上防止管１５又は凍上防止空間２４を通った外気ａを荷捌き室２に導入する。またこのために凍上防止管１５又は凍上防止空間２４を通った外気ａを荷捌き室２に導入する管路７及びファン６を設ける。【選択図】  図１
2006003037.tif 000002
【特許請求の範囲】
【請求項１】
冷蔵庫及び同冷蔵庫に隣接して設けられた荷捌き室の床部に外気を導入する凍上防止管又は凍上防止空間を設けた冷凍庫において、前記凍上防止管又は凍上防止空間を通った外気を前記荷捌き室に導入することを特徴とする冷蔵庫の熱利用方法。
【請求項２】
冷蔵庫及び同冷蔵庫に隣接して設けられた荷捌き室の床部に外気を導入する凍上防止管又は凍上防止空間を設けた冷凍庫において、前記凍上防止管又は凍上防止空間を通った外気を前記荷捌き室に導入する管路及び送風機を設けたことを特徴とする冷蔵庫。
【請求項３】
前記荷捌き室に被冷蔵物を出し入れする出入り口を設けたことを特徴とする請求項１記載の冷蔵庫の熱利用方法。
【請求項４】
前記荷捌き室に被冷蔵物を出し入れする出入り口を設けたことを特徴とする請求項２記載の冷蔵庫。
【請求項５】
前記荷捌き室の出入り口にドッグシェルタを設けたことを特徴とする請求項３記載の冷蔵庫の熱利用方法。
【請求項６】
前記荷捌き室の出入り口にドッグシェルタを設けたことを特徴とする請求項４記載の冷蔵庫。
【発明の詳細な説明】
【技術分野】
【０００１】
本発明は、たとえばＦ級冷蔵庫等の低温冷蔵庫及びそれに付帯する荷捌き室の保温維持を大掛かりな設備を必要とせず、簡単な構造で達成可能にするとともに、既存の冷熱源の有効利用を図ることにより、熱ロスを大幅に低減せしめた冷蔵庫及びその熱利用方法に関する。
【背景技術】
【０００２】
最近の流通対応型冷蔵庫においては、荷捌き室を低温化することが多く、特に運搬用トラックと荷捌き室の開閉ドアとの間で被冷蔵物の積載又は荷降ろしを行う際に外気を遮断するドックシェルタ付帯の荷捌き室（プラットフォーム）は、ほとんどが１０℃以下になってきている（現在は５℃以下が多い）。
【０００３】
ところが、実際にはドックシェルタ部からの外気流入量が多く、負荷増大の大きな一因になっている。特に夏場や梅雨時期には直接暖かい空気や湿気の多い空気が入ってくるので、ドックシェルタ付近の荷捌き室の床や壁で結露して、床が濡れ、モヤが発生し、非常に悪環境になっている（室温が下がれば下がる程、この状態がひどくなってくる）。
【０００４】
上記問題点に対する現状の対策としては、除湿機能をもった冷却能力の大きなクーラ等を付設して対応しているか、あるいはドックシェルタと運搬用トラック又は荷捌き室との隙間にエアカーテンを採用したりして、ドックシェルタからの外気の流入を防いでいたが、依然として外気の出入りがあり、熱ロスが大きく、またクーラの着霜も多くなって、デフロスト回数も増え、エネルギのロスが大きかった。
【０００５】
一方Ｆ級冷蔵庫（設定温度：−２５℃）等の低温冷蔵庫においては、必ず床部に凍上防止のためのパイプを埋め込むか、あるいはスラブ構造にして空間を設け、その空間に空気を通して熱を供給することで、床部の凍上を防止している。
しかしこれまで凍上防止管又は凍上防止空間への導入空気は外気を導入しており、導入した空気はそれを利用することなく放出していた。
【０００６】
以上の背景技術に関連して、たとえば特許文献１（特開昭５９−２０８３３５号公報）には、内側に複数個のフィンのある蓄放熱管を地中に埋設し、同蓄放熱管の中央にダクトを挿入し、同ダクトの他端を住宅等の外壁、軒天井、屋根に導入して、地中の蓄熱を住宅等の冷暖房の利用するシステムが開示されている。また特許文献２（特開昭５９−２０８３３６号公報）にも同様の技術が開示されている。
【０００７】
また特許文献３（特開２００２−１８８２３７号公報）には、大規模化する冷凍倉庫等の基礎部分（最下階）に、熱ロスを最小限に抑えることで低コスト化と地盤の凍結防止とを目的とした断熱構造が開示されている。
【０００８】
【特許文献１】特開昭５９−２０８３３５号公報
【特許文献２】特開昭５９−２０８３３６号公報
【特許文献３】特開２００２−１８８２３７号公報
【発明の開示】
【発明が解決しようとする課題】
【０００９】
荷捌き室が付設された冷蔵庫における上記問題点に対する現状の上記対策は、エネルギのロスが大きいものであり、また一方では低温冷蔵庫に付設された凍上防止管又は凍上防止空間に導入された空気は、冷熱エネルギを含むものであるのにかかわらず、そのまま放出されており、エネルギを無駄にしていた。
また特許文献１，２又は３に開示された技術を参考としても上記問題点を解決するに至っていない。
【００１０】
本発明は、かかる従来技術の課題に鑑み、荷捌き室が付設された冷蔵庫において、運搬トラックらへの被冷蔵物の積載または荷降ろしの際に、ドックシェルタ部からの外気の流入のよる熱ロスを簡単な構造で効果的に防ぎ、かつ低温冷蔵庫の床部に凍上防止のために設けられた凍上防止管又は凍上防止空間への導入空気の導入後の有効利用を図ることを目的とする。
【課題を解決するための手段】
【００１１】
本発明は、かかる目的を達成するもので、その手段は、冷蔵庫及び同冷蔵庫に隣接して設けられた荷捌き室の床部に外気を導入する凍上防止管又は凍上防止空間を設けた冷凍庫において、前記凍上防止管又は凍上防止空間を通った外気を前記荷捌き室に導入することを特徴とする冷蔵庫の熱利用方法、及び冷蔵庫及び同冷蔵庫に隣接して設けられた荷捌き室の床部に外気を導入する凍上防止管又は凍上防止空間を設けた冷凍庫において、前記凍上防止管又は凍上防止空間を通った外気を前記荷捌き室に導入する管路及び送風機を設けたことを特徴とする冷蔵庫に係る。
【００１２】
本発明方法においては、凍上防止管又は凍上防止空間を通って冷熱源を含んだ外気を荷捌き室に導入することで、荷捌き室の低温化に寄与するとともに、荷捌き室の陽圧化を図り、ドックシェルタ等からの外気の流入を防止するとともに、凍上防止管又は凍上防止空間を通った外気の冷熱源の有効利用を図る。
また本発明装置においては、凍上防止管又は凍上防止空間を通った外気を荷捌き室に導入する管路及び送風機を設けたことで、前記本発明方法と同一の作用及び効果を奏する。
なお凍上防止のための凍上防止管又は凍上防止空間等の設備は、Ｆ級冷蔵庫では必要であり、一般に付設されているので、本発明を実施するために新たに大きな設備投資を必要としない。
【発明の効果】
【００１３】
以上のように、本発明によれば、例えば凍上防止管又は凍上防止空間を通った外気を荷捌き室に導入する管路及び送風機を設けて、凍上防止管又は凍上防止空間を通った外気を荷捌き室に導入することにより、荷捌き室内の低温化に寄与するとともに、荷捌き室の陽圧化を図り、ドックシェルタ等からの外気の流入を防止するとともに、凍上防止管又は凍上防止空間を通った外気の冷熱源の有効利用を図ることが可能となる。
なお凍上防止のための凍上防止管又は凍上防止空間等の設備は、Ｆ級冷蔵庫では必要であり、一般に付設されているので、本発明を実施するために新たに大きな設備投資を必要とせず、ブロア又はファンやダクト、あるいは防熱設備、制御設備等を付設するのみで、実施可能である。
【発明を実施するための最良の形態】
【００１４】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
図１は、本発明の第１実施例に係る縦断立面図、図２は、Ｆ級冷蔵庫の床部のスラブ構造の一例（低床式）を示す断面図、図３は、Ｆ級冷蔵庫の床部のスラブ構造の他の例（高床式）を示す断面図である。
【００１５】
本発明の第１実施例を示す図１において、１は設定温度が−２５℃であるＦ級冷蔵庫で、同冷蔵庫１に隣接して荷捌き室２が設置されている。ｃは被冷蔵物であり、荷捌き室２では、通常室温が５℃以下に設定され、各種被冷蔵物ｃの選り分けなどが行われる。３は、冷蔵庫１及び荷捌き室２の床部に設けられたスラブ構造であり、４は、荷捌き室２の図示しない開閉扉から荷捌き室２と運搬トラック５との間で、被冷蔵物ｃの搬入又は搬出が行われる際に、運搬トラック後部の開閉ドアと荷捌き室２の図示しない開閉扉との間を遮蔽して外気の出入りを防ぐドックシェルタである。
【００１６】
６は、暖かい外気aがＦ級冷蔵庫１及び荷捌き室２の床部の凍上防止管又は凍上防止空間に導入され、徐々に冷却された後、冷却された外気を前記凍上防止管又は凍上防止空間から管路７を通って荷捌き室２に送り込むファンである。
【００１７】
図２は、Ｆ級冷蔵庫１及び荷捌き室２の床部に設けられたスラブ構造のうち、低床式を示す断面図であり、図２において、Ｆ級冷蔵庫１の床面１ａから下方に向かって、押えコンクリート１１、床防熱材１２、土間コンクリート１３、砂層１４、及び土層１７に接する割栗石層１６の各層から構成されており、割栗石層１６中には凍上防止管１５が埋設されている。
【００１８】
また図３は、高床式のスラブ構造の例を示し、図３において、土層２７の中に打ち込まれた杭２６の上部に固定された基礎２５の上端に凍上防止空間２４を空けた状態で土間コンクリート２３が設置され、その上に床防熱材２２及び押えコンクリート２１が積層され、押えコンクリート２１の上面がＦ級冷蔵庫１の床面１ａとなっている。
【００１９】
かかる第１実施例において、ファン６の稼動により、暖かい外気ａが凍上防止管１５又は凍上防止空間２４に導入されて、冷蔵庫１及び荷捌き室２の床面と熱交換しながら、徐々に冷やされて移動し、その後管路７を経て、荷捌き室２に導入される。
従って、外気ａの導入により、荷捌き室２内は陽圧化されているため、荷捌き室２と運搬トラック５との間で、被冷蔵物ｃの搬入又は搬出が行われる際に、ドックシェルタ部４の隙間から外気が侵入することがない。
【００２０】
また凍上防止管１５又は凍上防止空間２４を通って冷却された外気の冷熱源をそのまま放出することなく、荷捌き室２の低温保持に利用するので、熱ロスがなく、全体として熱効率の良いシステムとなる。
なお凍上防止のための凍上防止管１５又は凍上防止空間２４等の設備は、Ｆ級冷蔵庫１では必要であり、一般に付設されているので、本発明を実施するために新たに大きな設備投資を必要とせず、ファン６や管路７、あるいは図示しない防熱用の付帯設備、制御設備等を付設するのみで、実施可能である。
【産業上の利用可能性】
【００２１】
本発明によれば、たとえばＦ級冷蔵庫等の低温冷蔵庫及びそれに付帯する荷捌き室の保温維持を大掛かりな設備を必要とせず、簡単な構造で達成可能にするとともに、既存の冷熱源の有効利用を図ることにより、熱ロスを大幅に低減せしめた冷蔵庫及びその熱利用方法を提供することができる。
【図面の簡単な説明】
【００２２】
【図１】本発明の第１実施例に係る縦断立面図である。
【図２】Ｆ級冷蔵庫の床部のスラブ構造の一例（低床式）を示す断面図である。
【図３】Ｆ級冷蔵庫の床部のスラブ構造の他の例（高床式）を示す断面図である。
【符号の説明】
【００２３】
１    Ｆ級冷蔵庫
１ａ    Ｆ級冷蔵庫の床面
２    荷捌き室
３    スラブ構造
４    ドックシェルタ
５    運搬トラック
６    ファン
７    管路
１１，２１    押えコンクリート
１２，２２    床防熱材
１３，２３    土間コンクリート
１４    砂層
１５    凍上防止管
１６    割栗石層
１７，２７    土層
２４    凍上防止空間
２５    基礎
２６    杭
ａ    暖かい外気
ｃ    被冷蔵物
【図１】
2006003037.tif 000003
【図２】
2006003037.tif 000004
【図３】
2006003037.tif 000005